(57)【要約】【課題】  特別なＰＯＰ広告等の印刷をする際に用紙を自動的に選択、切り替えて印刷を継続できる装置を提供する。【解決手段】  指定された印刷情報に基づいて印刷データを生成する印刷データ出力装置であって、前記印刷情報を印刷する用紙の用紙情報と、印刷に用いる用紙を選択するための条件を記憶する記憶手段と、前記用紙情報及び前記条件に基づいて用紙を選択する用紙選択手段と、を備え、前記印刷情報と前記用紙選択手段が選択した用紙の用紙情報に基づいて印刷データを生成する印刷データ生成手段と、を備える。【選択図】図１０
2019067313.tif 000002
【特許請求の範囲】
【請求項１】
指定された印刷情報に基づいて印刷データを生成する印刷データ出力装置であって、
前記印刷情報を印刷する用紙の用紙情報と、印刷に用いる用紙を選択するための条件を記憶する記憶手段と、
前記用紙情報及び前記条件に基づいて用紙を選択する用紙選択手段と、を備え、
前記印刷情報と前記用紙選択手段が選択した用紙の用紙情報に基づいて印刷データを生成する印刷データ生成手段と、を備える
印刷データ出力装置。
【請求項２】
前記用紙選択手段は、前記選択した用紙が給紙不能である場合に、選択されていない代替用紙に切り替えて選択する
請求項１に記載の印刷データ出力装置。
【請求項３】
前記印刷データ生成手段は、前記が給紙不能である用紙が予め事前印字がなされた事前印字用紙であり、且つ、前記代替用紙が無地である場合に、前記事前印字を含めて印刷データを生成する
請求項２に記載の印刷データ出力装置。
【請求項４】
前記印刷データ生成手段は、前記が給紙不能である用紙が色付き用紙であり、且つ、前記代替用紙が無地である場合に、前記が給紙不能である色付き用紙と同一または類似の色の背景を含めて印刷データを生成する
請求項２に記載の印刷データ出力装置。
【請求項５】
前記が給紙不能である色付き用紙と同一または類似の色の背景は、前記代替用紙の両端または片端に印刷される帯状の印刷データである
請求項４に記載の印刷データ出力装置。
【請求項６】
前記印刷データ生成手段は、前記が給紙不能である用紙が色付き用紙であり、且つ、前記代替用紙が無地である場合に、文字情報または所定のマークを含めて印刷データを生成する
請求項２に記載の印刷データ出力装置。
【請求項７】
請求項１ないし６に記載の印刷データ出力装置と、
前記印刷データ出力装置が生成、出力した印刷データに基づいて印刷処理を行う印刷手段と、を備える
印刷システム。
【請求項８】
前記印刷データ出力装置は、印刷に用いる用紙の枚数を入力する入力手段をさらに備え、
前記用紙選択手段２０３は、印刷手段によって印刷された枚数が前記入力手段により入力された枚数を超えた場合に、前記代替用紙に切替えて選択する
請求項７に記載の印刷システム。
【請求項９】
前記印刷データ出力装置は、印刷に用いる用紙の枚数を算出し、該算出した前記枚数を前記印刷に用いる用紙の枚数とする
請求項８に記載の印刷システム
【請求項１０】
指定された印刷情報に基づいて印刷データを生成するプログラムであって、
コンピュータに、
印刷に用いる用紙が給紙可能であるか否かを判断する手順と、
前記印刷に用いる用紙が事前印刷を有する事前印刷用紙であるか否かを判断する手順と、
前記選択した用紙が給紙不可能である場合であって、かつ、事前印刷用紙である場合には、事前印刷を含めて印刷データを生成する手順と、
を実行させるためのプログラム。
【発明の詳細な説明】
【技術分野】
【０００１】
本発明は、量販店・スーパーなどで使用するＰＯＰ広告や棚ラベルなどを印刷する印刷データ出力装置、印刷システム、及びプログラムに関する。
【背景技術】
【０００２】
量販店・スーパーなどで使用するＰＯＰ広告や棚ラベルなどを印刷する印刷システムが公知となっている。（特許文献１）。
【先行技術文献】
【特許文献】
【０００３】
【特許文献１】特開２０１６−１６４３６７号
【発明の概要】
【発明が解決しようとする課題】
【０００４】
前記特許文献１に見られるような印刷システムにおいて、例えばインパクトのあるＰＯＰ広告を印刷したり、閉店後に取り外すことが決まっているＰＯＰ広告を簡単に判別できるような印刷したりするために、通常の白紙とは異なった色付きの用紙や事前に印刷がある用紙などの用途に応じた用紙にＰＯＰ広告を印刷することがある。
【０００５】
しかし、ＰＯＰ広告を印刷するたびに給紙トレイの用紙種類、枚数を確認したり、複数のＰＯＰ広告を発行する場合にはＰＯＰ広告毎に印刷設定を変更したりするなどの作業は繁雑であり、印刷中の印刷装置に注意を払う必要があった。
【０００６】
本発明は、上記の事情を鑑みたものであり、特別なＰＯＰ広告等の印刷をする際に用紙を自動的に選択、切り替えて印刷を継続できる装置を提供することを目的とする。
【課題を解決するための手段】
【０００７】
本発明の一実施形態は、指定された印刷情報に基づいて印刷データを生成する印刷データ出力装置であって、前記印刷情報を印刷する用紙の用紙情報と、印刷に用いる用紙を選択するための条件を記憶する記憶手段と、前記用紙情報及び前記条件に基づいて用紙を選択する用紙選択手段と、を備え、前記印刷情報と前記用紙選択手段が選択した用紙の用紙情報に基づいて印刷データを生成する印刷データ生成手段と、を備える印刷データ出力装置である。
【発明の効果】
【０００８】
本発明によれば、ＰＯＰ広告等の印刷をする際に用途に応じた用紙が不足した場合でも、印刷に用いる用紙を代替可能な用紙に適宜切り替えて印刷処理を継続することができる。
【図面の簡単な説明】
【０００９】
【図１】本発明の実施形態に係る印刷データ出力装置を備える印刷システムの全体構成を示す模式図である。
【図２】本発明の実施形態に係る印刷データ出力装置の機能ブロック図である。
【図３】本発明の実施形態に係る印刷データ出力装置における商品情報ファイルの構成を示す模式図である。
【図４】本発明の実施形態に係る印刷データ出力装置におけるカード情報ファイルの構成を示す模式図である。
【図５】本発明の実施形態に係る印刷データ出力装置における用紙情報ファイルの構成を示す模式図である。
【図６】本発明の実施形態に係る印刷データ出力装置を備える印刷システムの全体のフロー図である。
【図７】本発明の実施形態に係る印刷データ出力装置を備える印刷システムの用紙選択手順を示すフロー図である。
【図８】本発明の実施形態に係る印刷データ出力装置を備える印刷システムのカード変更処理の手順を示すフロー図である。
【図９】本発明の実施形態に係る印刷データ出力装置を備える印刷システムの組合せカード設定処理の手順を示すフロー図である。
【図１０】本発明の実施形態に係る印刷データ出力装置を備える印刷システムの代替用紙設定処理の手順を示すフロー図である。
【図１１】本発明の実施形態に係る印刷データ出力装置を備える印刷システムにおいて、代替用紙に対して事前印刷を行った用紙の例である。
【図１２】本発明の実施形態に係る印刷データ出力装置の表示手段に表示される画面の図であり、一覧入力画面を示す図である。
【図１３】本発明の実施形態に係る印刷データ出力装置の表示手段に表示される画面の図であり、カード選択ウインドウを示す図である。
【図１４】本発明の実施形態に係る印刷データ出力装置の表示手段に表示される画面の図であり、カード入力画面を示す図である。
【図１５】本発明の実施形態に係る印刷データ出力装置の表示手段に表示される画面の図であり、プレビュー画面を示す図である。
【図１６】本発明の実施形態に係る印刷データ出力装置の表示手段に表示される画面の図であり、カード修正画面を示す図である。
【図１７】本発明の実施形態に係る印刷データ出力装置の表示手段に表示される画面の図であり、カード設定画面を示す図である。
【図１８】本発明の実施形態に係る印刷データ出力装置の表示手段に表示される画面の図であり、「用紙切替設定」欄が詳細表示されたカード設定画面を示す図である。
【図１９】本発明の実施形態に係る印刷データ出力装置の表示手段に表示される画面の図であり、「用紙切替設定」欄が詳細表示されたカード設定画面を示す図である。
【図２０】本発明の実施形態に係る印刷データ出力装置の表示手段に表示される画面の図であり、カード組合せ欄が表示されたカード設定画面を示す図である。
【図２１】本発明の実施形態に係る印刷データ出力装置を備える印刷システムによってカード組合せ状態で印刷された印刷媒体の図である。
【図２２】本発明の実施形態に係る印刷データ出力装置の表示手段に表示される画面の図であり、カード変更欄が表示されたカード設定画面を示す図である。
【図２３】本発明の実施形態に係る印刷データ出力装置を備える印刷システムによって複数税率印刷状態で印刷された印刷媒体の図である。
【図２４】本発明の実施形態に係る印刷データ出力装置の表示手段に表示される画面の図であり、軽減税率が設定されるカードのカード入力画面を示す図である。
【発明を実施するための形態】
【００１０】
以下、本発明の一実施形態に係る商品情報出力装置（印刷データ出力装置）及び該装置を備える商品情報出力システム（印刷システム）について、図面を参照して説明する。
（商品情報出力システムの全体構成）
図１は、本実施形態に関する商品情報出力システムの全体構成を示す模式図である。
【００１１】
本実施形態に関する商品情報出力システムは、図１に示すように、本部等に配置されて各店舗における商品販売等に関する管理処理を行う本部サーバ１と、各店舗に配置されて棚札やＰＯＰ広告の印刷等に使用される商品情報出力データの生成、出力処理を行う商品情報出力装置（印刷データ出力装置）２、及び、商品情報出力装置（印刷データ出力装置）２が生成、出力した商品情報出力データ（印刷データ）に基づいて該棚札やＰＯＰ広告の印刷等を行う出力装置（印刷手段）３を有する。なお、本実施形態においては、商品情報出力装置２として印刷データ出力装置を用い、出力装置３として用紙に印刷する印刷手段３を用い、商品情報出力データとして印刷データを用いて説明するが、出力装置３としては、紙媒体等に印刷を行う印刷手段の他、電子棚札やサイネージ等であってもよい。
【００１２】
本部サーバ１および印刷データ出力装置２は、例えばインターネットを介してクラウドサーバに接続されており、本部サーバ１と印刷データ出力装置２と印刷手段３は、情報通信を可能にするＬＡＮ（Local Area Network）などのネットワーク４を介して接続されている。
なお、本部サーバ１と印刷データ出力装置２と印刷手段３とを接続するネットワーク４は、有線のものに限らず、無線によって接続されてもよい。
【００１３】
本部サーバ１は、棚札やＰＯＰ広告等を作成する際に用いられる情報を含む各種情報を管理する。管理するデータベースは、例えば各商品の名称や売価等の情報を記憶した商品マスターデータベース、顧客の情報を記憶した顧客情報データベース、店舗毎の売上状況等を記憶した店舗情報データベース等がある。そして、接続手段１１を介してインターネットに接続されている。
【００１４】
印刷データ出力装置２は、パソコン等により構成されており、各店舗に配置される端末としてユーザーにより操作され、例えば、紙等の印刷媒体に印刷したり、電子棚札等に表示したりするための印刷データを生成する。印刷データ出力装置２は、印刷データの生成、出力処理を統括して制御するコントローラ２１、キーボード等から構成される入力手段２２、ディスプレイ装置等から構成される表示手段２３を有している。
【００１５】
コントローラ２１は、ＣＰＵ２１１、ＲＯＭ２１２、ＲＡＭ２１３、メモリ２１４、ネットワークＩ／Ｆ２１５、入力手段Ｉ／Ｆ２１６、表示手段Ｉ／Ｆ２１７、接続手段２１８を有する。
ＣＰＵ２１１は、ソフトウエアプログラムの命令を実行する素子である。
ＲＯＭ２１２は、コントローラ２１上で動作するためのプログラム等が予め記憶された記憶素子である。なお、プログラム等は、ＣＤ−ＲＯＭなどの可搬型記憶媒体に記憶させ、ＣＤ−ＲＯＭドライブなどの外部装置により読み取るように構成してもよい。
【００１６】
ＲＡＭ２１３は、プログラムの記憶及びソフトウエアが動作するために必要なワーク記憶エリアとして用いる記憶素子である。
メモリ２１４は、ハードディスク装置等から構成され棚札やＰＯＰ広告の印刷等に使用される印刷データの生成、出力、管理等の処理を行うための情報が記憶される記憶手段である。
ネットワークＩ／Ｆ２１５は、ネットワーク４上に接続された手段とデータのやり取りを行うための回路である。
入力手段Ｉ／Ｆ２１６は、入力手段２２との入出力を行うための回路である。
表示手段Ｉ／Ｆ２１７は、表示手段２３との入出力を行うための回路である。
接続手段２１８は、インターネットとの接続を行う手段である。
【００１７】
印刷手段３は、印刷データ出力装置２から出力（送信）された印刷データに基づいてイメージデータを生成するコントローラ３１と、生成したイメージデータに基づいて印刷部を駆動して印刷するプリンタエンジン３２を有している。
コントローラ３１は、ＣＰＵ３１１、ＲＯＭ３１２、ＲＡＭ３１３、ネットワークＩ／Ｆ３１４を有する。
【００１８】
なお、本実施形態では、印刷手段３は、本部サーバ１及び印刷データ出力装置２に対してネットワーク４を介して接続されているが、印刷データ出力装置２に直接接続されていてもよい。さらに、ＰＯＰ広告を印刷するためのプログラムを搭載した印刷データ出力装置２と印刷手段３が一体となったラベルプリンタ等の専用機として構成されていてもよい。
【００１９】
(機能ブロック図)
図２は、本実施形態に関する印刷データ出力装置２及び印刷手段３の機能ブロック図である。
印刷データ出力装置２は、印刷データ出力手段（商品情報出力手段）２０１、印刷データ生成手段（商品情報出力データ生成手段）２０２、用紙選択手段２０３、商品情報記憶手段２０４、カード情報記憶手段２０５、用紙情報記憶手段２０６、通信部２０７を備える装置として機能する。
印刷手段３は、印刷制御手段３０１、エンジン制御手段３０２、用紙検出手段３０３等を備え、印刷データを展開し用紙に印刷する装置として機能する。
【００２０】
印刷データ出力手段２０１は、印刷データ出力装置２を統括して制御する手段であり、入力手段２２により入力された情報を各記憶手段に記憶したり、各記憶手段に記憶されている情報を表示手段２３に表示したり、印刷データ生成手段２０２により生成された印刷データを印刷手段３に出力するなど印刷手段３等とのデータの送受信をしたりする。
【００２１】
印刷データ生成手段２０２は、例えば、商品情報記憶手段２０４に記憶されている商品情報、カード情報記憶手段２０５に記憶されているカード情報、用紙情報記憶手段２０６に記憶されている用紙情報等に基づいて印刷データを生成する。
【００２２】
用紙選択手段２０３は、例えば、商品情報記憶手段２０４に記憶されている商品情報、カード情報記憶手段２０５に記憶されているカード情報、用紙情報記憶手段２０６に記憶されている用紙情報等に基づいて、印刷手段３における印刷に用いる用紙を指定、切り替え等して選択する。
【００２３】
商品情報記憶手段２０４は、商品ごとに商品情報を有する商品情報ファイルを記憶する。カード情報記憶手段２０５は、印刷媒体に印刷する際に用いられるカード情報（印刷フォーマット情報）を有するカードファイルを記憶する。用紙情報記憶手段２０６は、印刷手段３の給紙カセット等に収納される用紙の情報を有する用紙情報ファイルを記憶する。通信部２０７は、印刷手段３との間のデータのやり取りをする。
【００２４】
印刷制御手段３０１は、印刷データ出力手段２０１から出力（送信）された印刷データをイメージデータに展開してエンジン制御手段３０２に送信したり、用紙検出手段３０３により検出された用紙情報を印刷データ出力手段２０１に送信したりする。
用紙検出手段３０３は、給紙カセット等に収納されている用紙の情報を検出する。
【００２５】
（各種データベース）
ここで、図３および図４を参照して、本実施形態に関する印刷システムにおいて処理される商品情報ファイル、カード情報ファイル、用紙情報ファイルについて説明する。初めに、図３を参照して、商品情報ファイルについて説明する。
【００２６】
（商品情報ファイル）
商品情報ファイルは、各商品に対して定義された項目を記憶した商品情報のファイルである。商品情報ファイルは、各店舗の印刷データ出力装置２により、所定の条件（例えば、明日が「特売開始日」である商品など）を設定して本部サーバ１等の各サーバ（商品マスターデータを記憶する商品マスタサーバや特売スケジュール等を記憶する企画マスタサーバ等）に問い合わせをすることなどで、各サーバが保持する商品情報や売価情報、特売スケジュール情報等を取得して生成される。商品情報ファイルは、例えばテキストファイルに保存し、各店舗の印刷データ出力装置２の商品情報記憶手段２０４に記憶されている。
【００２７】
なお、特売スケジュール等を各店舗で企画する場合などには特売スケジュール等が複数設定される場合があるが、特売開始日や終了日によって自動的に特売スケジュールの優先度を判定したり、各店舗において企画された特売スケジュールに優先フラグなどを設定したりするなどして、商品情報ファイルの特売スケジュール等を設定することができる。具体的には、特売開始日が当日に近い方を優先したり、特売終了日が当日に近い方を優先したり、特売開始日と特売終了日が同じである場合には、売価の安い方を優先するなど、どのように設定してもよい。
【００２８】
前記商品情報は、「ＪＡＮコード」、「商品名」、「規格名称」、「現在売価」、「印刷指示１」、「カード１」、「（印刷）枚数１」、「印刷指示２」、「カード２」、「（印刷）枚数２」、「特売開始日」、「特売終了日」、「特売売価」、「特別ポイント１」、「軽減税率対象」、「税率１」、「税率２」、「発注点」、「発注数量」等の項目からなり、各商品に対して各項目が関連付けられたデータである。
【００２９】
「ＪＡＮコード」の項目は、商品ごとに印字されるＪＡＮコードを表す。なお、本実施形態においては、ＪＡＮコードを使用しているが、例えばＵＰＣコード等他のバーコードを使用しても良い。「カード１」、「カード２」の項目は、各商品に対して関連づけられた印刷フォーマットを表す。「印刷指示１」、「印刷指示２」の項目は、各商品情報の前記「カード１」、「カード２」の印刷フォーマットによる印刷指示の有無を表し、「（印刷）枚数１」、「（印刷）枚数２」の項目は、前記「カード１」、「カード２」の印刷フォーマットにより印刷する印刷枚数を表す。
【００３０】
「現在売価」の項目は、店頭での販売時に用いられる販売価格または税込み価格の現在値を表し、「特売売価」の項目は、現在売価とは異なる値を有する特別価格等の値を表す。「特売開始日」の項目は、特売売価等の特別価格の適用が開始される日時を表し、「特売終了日」の項目は、前記特別価格の適用が終了する日を表す。「特別ポイント１」の項目は、関連づけられた商品が特別ポイントの対象商品であることを意味し、加算される特別ポイントの値を表す。
【００３１】
「軽減税率対象」の項目は、関連づけられた商品が軽減税率の対象商品であることを表し、「税率１」の項目は、軽減税率が適用されない標準税率の値、「税率２」の項目は、軽減税率の値を表す。「発注点」の項目は、関連づけられた商品の発注のタイミング（残数など）を表し、「発注数量」の項目は、関連づけられた商品の発注時の数量を表す。
なお、上記商品情報ファイルにおいては、商品情報に関連付ける印刷フォーマットとして、「カード１」、「カード２」の項目を有しているが、例えば「カード１」から「カード５」のように、さらに多くの印刷フォーマットを設けてもよい。
【００３２】
図３に示す例では、商品情報ファイルの１行目の商品情報には、ＪＡＮコードが「１２３４５６７８９０」、商品名が「缶コーヒー」、規格名称が「２８０ｍｌ」、現在売価が「１００」円、印刷フォーマット１（カード１）が「カードＡ」、印刷フォーマット（カード）１による印刷枚数が「１」枚、の商品が設定されている。さらに、該１行目の商品情報には、特売開始日が「２０１７年１月１２日」、特売終了日が「２０１７年１月３１日」、特別売価が「９５」円、特別ポイント１が「１００ポイント」が設定されている。
また、同２行目の商品情報には、印刷フォーマット２（カード２）に「広告Ｂ」、印刷フォーマット（カード）２による印刷枚数に「１」が設定されている。
【００３３】
（カード情報ファイル）
次に、図４を参照して、カード情報ファイルについて説明する。カード情報ファイルは、各商品を印刷する際に使用する印刷フォーマット情報（カード情報）のファイルである。カード情報ファイルは、例えば本部等において作成されてクラウドサーバに保存された情報を、各店舗の印刷データ出力装置２により取得して、テキストファイルとして、印刷データ出力装置２のカード情報記憶手段２０５に記憶されている。
【００３４】
ユーザーは、カード情報ファイルのカード情報を各店舗の印刷データ出力装置２の表示手段２３に表示することができる。また、ユーザーは、前記表示手段２３に表示されたカード情報を修正したり、削除したり、また、新規に作成したりすることができる。
【００３５】
前記カード情報は、「カード名称」、「用紙」、「用紙方向」、「サイズ」、「印字項目１」・・「印字項目ｎ」、「カード属性１」、「カード属性２」、「組合せ条件１」、「組合せカード１」、「変更条件」、「変更カード」、「用紙切替条件」、「切替用紙」、「代替用紙印刷条件」、「代替用紙」等の項目からなり、各カードに対して各項目が関連付けられたデータである。
【００３６】
「カード名称」の項目は、使用されるカードの名前を表す。「用紙」の項目は、印刷する印刷媒体の名称を表し、「用紙方向」の項目は、印刷する際の印刷の搬送方向を表し、「サイズ」の項目は、印刷される棚札等の寸法を表す。「印字項目１」ないし「印字項目ｎ」の項目は、印刷媒体に印刷する際に使用される印刷フォーマットデータに配置される印刷枠に定義される商品情報の項目を表す。
【００３７】
「カード属性１」、「カード属性２」の項目は、定義されたカードの属性を示す。カードの属性としては、「広告の品」、「通常棚札」、「特売用」、「通常ＰＯＰ」、「複数税率」など使用目的に関する属性、「Ａ３」、「Ａ４」等の用紙に関する属性がある。
【００３８】
各カード情報には、複数の属性を定義することができる。なお、カード属性として、「カード属性１」、「カード属性２」の項目を備えているが、３つ以上のカード属性を定義することができるようにしてもよい。
また、カード属性は、図示しないシステム設定画面において、任意に登録することができ、例えば新しく複数税率に対応させた印刷フォーマットを作成した場合に、カード属性として「複数税率」というカード属性を新規に登録して新しいカードに定義することができる。
【００３９】
「組合せ条件１」の項目は、商品情報を印刷するカードに対して、他のカードを組み合わせて印刷するため条件を表し、「組合せカード１」の項目は、組み合わせるカードを表す。「変更条件」の項目は、商品の情報を印刷するカードを他のカードに変更するため条件を表し、「変更カード」の項目は、変更するカードを表す。「用紙切替条件」の項目は、事前印刷用紙（予め印刷された用紙、予め着色された紙）等の特別な用紙を用いて印刷するため条件を表し、「切換用紙」の項目は、切替える用紙を表す。
【００４０】
図４に示す例では、カード情報ファイルの１行目の印刷フォーマット（カード情報）として、カード名称が「カードＡ」、用紙が「Ａ４白色」、用紙の搬送方向が「縦」、サイズが「７４ｍｍ×５２．５ｍｍ」、カード属性が「通常棚札」、「Ａ４」が設定されている。
また、同２行目のカード情報として、さらに「組合せ条件１」が「特別ポイント１≧１」組合せカード１が「スポッター用」、であることが設定されている。
また、同６行のカード情報として、用紙切替条件が「特売終了日＝特売開始日」、切替用紙が「Ａ４  黄色」であることが設定されている。
【００４１】
（用紙情報ファイル）
次に、図５を参照して、用紙情報ファイルについて説明する。用紙情報ファイルは、各商品を印刷する際に使用する用紙（印刷媒体）情報のファイルである。
前記用紙情報は、「用紙名」、「用紙サイズ」、「表面情報」、「収納場所」、「残数」等の項目からなり、各用紙に対して各項目が関連付けられたデータである。
【００４２】
「用紙名」の項目は、用紙の種類を表し、「用紙サイズ」の項目は、用紙の寸法を表す。「表面情報」の項目は、用紙の表面の情報を表し、事前印刷情報(イメージ情報)、黄色等の情報を表す。「収納場所」の項目は、用紙が収納される給紙カセット等の場所を表し、「残数」の項目は、収納された用紙の枚数を表す。
【００４３】
図５に示す例では、用紙情報ファイルの１行目の用紙情報として、用紙名が「Ａ４白色」、用紙サイズが「Ａ４」、収納場所が「カセット１」、残数が「５００（枚）」が設定されている。
また、同２行目の用紙情報として、用紙名が「Ａ３白色」、用紙サイズが「Ａ３」、収納場所が「カセット２」、残数が「５００（枚）」が設定されている。
また、同３行の用紙情報として、用紙名が「Ａ４黄色」、用紙サイズが「Ａ４」、収納場所が「カセット３」、残数が「１００（枚）」が設定されている。
また、同４行の用紙情報として、用紙名が「Ａ４事前」、用紙サイズが「Ａ４」、収納場所が「手差し」、残数が「０（枚）」が設定されている。
【００４４】
（商品情報出力処理）
図６は、本実施形態に関する印刷システムにおける印刷処理の全体の流れを示すフローチャートの一例である。
まず、印刷データ出力手段２０１は、ユーザーが、入力手段２２を操作して商品を選択し、印刷（商品情報出力）の指示を入力するのを待つ（手順Ｓ１０１）。
【００４５】
印刷データ出力手段２０１は、ユーザーによって、商品情報が選択されて印刷の指示が入力されると、商品情報記憶手段２０４から前記選択された商品の商品情報を読み込む（手順Ｓ１０２）。続いて、印刷データ出力手段２０１は、前記読み込んだ商品情報に基づいて、カード情報記憶手段２０５からカード情報を読み込む（手順Ｓ１０３）。
【００４６】
次に、用紙選択手段２０３は、前記商品情報及び前記カード情報に基づいて、印刷に用いる用紙を選択する（手順Ｓ１０４）。
【００４７】
次に、印刷データ生成手段２０２は、前記商品情報及び前記カード情報に基づいて、印刷データを生成する。
印刷データの生成に際しては、印刷データ生成手段２０２は、商品情報を印刷するカード（印刷フォーマット）を変更するカード変更処理（手順Ｓ１０５）、通常印刷するカードに特別カードを組み合わせる組合せカード設定処理（手順Ｓ１０６）、用紙選択手段２０３により選択された用紙が不足している場合などに行われる代替用紙設定処理（手順Ｓ１０７）などの処理を行う。
【００４８】
そして、印刷データ出力手段２０１は、印刷データ生成手段２０２が生成した印刷データや前記選択した用紙の用紙情報を印刷手段３に送信する（手順Ｓ１０８）。
前記印刷データ及び前記用紙情報を受信した前記印刷手段３は、印刷データ及び用紙情報に基づいて用紙（印刷媒体）に印刷して（手順Ｓ１０９）、商品情報の印刷（出力）を終了する。なお、本発明は、上記手順の全てを備えていなければならないものではない。
【００４９】
続いて、本実施形態に係る印刷データ出力装置２の一つの特徴である、前記手順Ｓ１０４ないし手順Ｓ１０７の各処理について、詳細な説明を行う。
図７は、本実施形態の印刷データ出力装置２における用紙の選択処理（手順Ｓ１０４）の流れを示すフローチャートの一例である。
【００５０】
用紙の選択処理において、用紙選択手段２０３は、印刷する商品情報に基づいて用紙を選択する。具体的には、印刷する商品情報が所定の条件を満たす場合、すなわち商品情報に特別な用紙を用いて印刷する旨の情報が含まれている場合には、印刷する用紙として特別な用紙を選択する処理を含む。例えば、印刷する商品情報が特売対象商品である場合に、印刷に用いる用紙として黄色用紙等の特別な用紙を選択する場合などがある。
【００５１】
まず、用紙選択手段２０３は、手順Ｓ１０３で商品情報に基づいて読み込んだ前記カード情報に印刷に用いる用紙を切り替えて選択するための所定の条件が存在するか否かを検出する（手順Ｓ１０４１）。
【００５２】
所定の条件の設定とは、例えば、図４に示す商品情報を印刷するカード情報の「用紙切替条件」欄に用紙を切り替えて選択するための何らかの条件を設定することなどによって行うことができる。用紙を切り替えて選択するための条件としては、例えば、図４の広告Ｂのカード情報の「用紙切替条件」欄に設定されているような、印刷する商品情報に設定された特売開始日と特売終了日が同日であることを用紙切替条件として設定することができる。
【００５３】
これによって、印刷する商品情報のうち広告Ａのカードを使用して印刷する商品であって、特売開始日と特売終了日が同日の商品については、印刷に用いる用紙として「切替用紙」欄に設定されている「Ａ４  黄色」の用紙が切り替えて選択される。
【００５４】
用紙選択手段２０３は、読み込まれたカード情報に用紙切替条件の設定がされていることを検出した場合（例えば、「用紙切替条件」欄に何らかの条件が設定されている場合）には、印刷する商品情報がカード情報に設定された用紙切替条件を満たすか否かを検出する（手順Ｓ１０４２）。
【００５５】
一方、用紙選択手段２０３は、手順Ｓ１０４１において、読み込まれたカード情報に用紙切替条件の設定がされていないことを検出した場合には、商品情報の印刷に用いる用紙として、カード情報の「用紙」欄に設定されている用紙を選択して（手順Ｓ１０４４）、処理を終了する。
【００５６】
用紙選択手段２０３は、手順Ｓ１０４２で、印刷する商品情報が用紙切替条件を満たすことを検出した場合には、商品情報の印刷に用いる用紙として、カード情報の「切替用紙」欄に設定されている用紙に切り替えて選択して（手順Ｓ１４０３）、処理を終了する。
【００５７】
一方、用紙選択手段２０３は、印刷する商品情報が用紙切替条件を満たさないことを検出した場合には、商品情報の印刷に用いる用紙として、カード情報の「用紙」欄に設定されている用紙を選択して（手順Ｓ１４０４）、処理を終了する。
なお、上記用紙切替条件は、日付を条件とするものに限られるものではなく、ユーザーが適宜設定できる。
以上、本実施形態に係る印刷データ出力装置２における用紙の選択処理の手順Ｓ１０４の一例の説明を行った。
【００５８】
図８は、本実施形態に係る印刷データ出力装置２におけるカード変更処理（手順Ｓ１０５）の流れを示すフローチャートの一例である。  
カード変更とは、商品情報を印刷する際に該印刷する商品情報が所定の条件を満たす場合に、商品情報を印刷するカード（印刷フォーマット）を他のカード（印刷フォーマット）に変更することなどをいう。例えば、印刷する商品情報に複数税率の対象商品であることが設定されている場合には、棚札等を印刷する際に、通常使用している商品情報を印刷するカード（印刷フォーマット）とは異なる、複数の税率を共に印刷することができるカード（印刷フォーマット）に変更するなど印刷形態を異ならせて、棚札等を印刷するための印刷データを生成することなどをいう。  
【００５９】
まず、印刷データ生成手段２０２は、手順Ｓ１０２で読み込んだ前記商品情報の数をｎ１に代入し、変数ｎに初期値１を代入する（手順Ｓ１０５１）。
次に、印刷データ生成手段２０２は、読み込んだ複数の商品情報からｎ番目の商品情報に設定されたカード情報にカード変更条件の設定がされているか否かを検出する（手順Ｓ１０５２）。
【００６０】
カード変更条件とは、商品情報を印刷するカード（印刷フォーマット）を変更する（印刷形態を異ならせる）ための条件であり、例えば、印刷する商品情報が減税税率対象商品である時にカード（印刷形態）を異ならせる場合には、読み込んだ前記商品情報の「軽減税率対象」欄に、「１」が設定されていることを印刷フォーマットを変更するためのカード変更条件として設定することできる（１が設定されていれば、その商品は軽減税率の対象の商品であることを示している）。
【００６１】
印刷データ生成手段２０２は、読み込まれたカード情報にカード変更条件の設定がされていることを検出した場合には、印刷する商品情報がカード情報に設定されたカード変更条件を満たすか否かを検出する（手順Ｓ１０５３）。
【００６２】
一方、印刷データ生成手段２０２は、読み込まれたカード情報にカード変更条件の設定がされていないことを検出した場合には、商品情報を印刷する印刷フォーマットとして、読み込まれた通常使用しているカード（印刷フォーマット）を用いて印刷データを生成する（手順Ｓ１０５５）。
【００６３】
印刷データ生成手段２０２は、手順Ｓ１０５３で、印刷する商品情報がカード情報に設定されたカード変更条件を満たすことを検出した場合には、商品情報を印刷する印刷フォーマットとして、カード情報の「変更カード」欄に設定されているカード（印刷フォーマット）を用いて印刷データを生成する（手順Ｓ１０５４）。
【００６４】
一方、印刷データ生成手段２０２は、印刷する商品情報がカード情報に設定されたカード変更条件を満たさないことを検出した場合には、商品情報を印刷する印刷フォーマットとして、読み込まれた通常使用しているカード（印刷フォーマット）を用いて印刷データを生成する（手順Ｓ１０５５）。
【００６５】
そして、印刷データ生成手段２０２は、変数ｎがｎ１以上か否かを検出し（手順Ｓ１０５６）、変数ｎがｎ１以上であれば処理を終了し、変数ｎがｎ１未満であれば、ｎ＝ｎ＋１として(手順Ｓ１０５７)、手順Ｓ１０５２に戻り、上記手順Ｓ１０５２から手順Ｓ１０５６を、印刷のために選択された商品情報の数だけくり返す。
【００６６】
なお、上記の実施形態においては、印刷データ生成手段２０２は、カード変更条件を満たすことを検出した場合にカード変更（印刷形態の変更）を行うように制御されるが、カード変更条件が設定されていることで、直ちにカード変更を行うようにしてもよい。また、カード変更条件として、店舗情報等を設定することにより、複数税率対象商品でありながら、一方の税率しか対応しない店舗においては、カード変更を行わないように制御するなどしてもよい。
【００６７】
上記のように印刷データ生成手段２０２によって生成された印刷データは、印刷データ出力手段２０１によって印刷手段３に出力（送信）される。
以上、本実施形態に係る印刷データ出力装置２における商品情報の所定の条件に伴ってカード（印刷形態）を変更する印刷データ生成処理の手順Ｓ１０４の一例について説明を行った。
【００６８】
図９は、本実施形態の印刷データ出力装置２における組合せカード設定処理（手順Ｓ１０６）の流れを示すフローチャートの一例である。
組合せカードとは、商品情報を印刷する際に該印刷する商品情報が所定の条件を満たす場合に、通常印刷するカード（印刷フォーマット）に加えて特別なカード（印刷フォーマット）等を組み合わせて印刷することであり、例えば、印刷する商品情報に特別ポイントが付与されることが設定されている場合などに、商品情報を印刷するカードとともに特別ポイントが付与されることを強調するカード等を組み合わせて印刷する場合などがある。
【００６９】
まず、印刷データ生成手段２０２は、手順Ｓ１０２で読み込んだ前記商品情報の数をｎ１に代入し、変数ｎに初期値１を代入する（手順Ｓ１０６１）。
【００７０】
次に、印刷データ生成手段２０２は、読み込んだ複数の商品情報からｎ番目の商品情報に設定されたカード情報に組合せカード条件が設定されているか否かを検出する（手順Ｓ１０６２）。
【００７１】
組合せカード条件とは、商品情報を印刷する印刷フォーマット（カード）に特別な印刷フォーマット（カード）等を組み合わせて印刷するための条件であり、例えば、印刷する商品情報に特別ポイントが付与されている商品情報のカードに特別なカードを組み合わせる場合には、読み込んだ前記商品情報の「特別ポイント１」欄に、ポイントが設定されているか否かをカードを組み合わせるための組合せカード条件として設定することができる。
【００７２】
印刷データ生成手段２０２は、読み込まれたカード情報に組合せカード条件の設定がされていることを検出した場合には、印刷する商品情報がカード情報に設定された組合せカード条件を満たすか否かを検出する（手順Ｓ１０６３）。
一方、印刷データ生成手段２０２は、読み込まれたカード情報にカード組合せ条件の設定がされていないことを検出した場合には、処理を終了する。
【００７３】
印刷データ生成手段２０２は、手順Ｓ１０６３で、印刷する商品情報がカード情報に設定されたカード組み合わせ条件を満たすことを検出した場合には、商品情報を印刷するカードと特別なカードを両カードの関連性が分かるように組み合わせて印刷データを生成する（手順Ｓ１０６４）。
【００７４】
一方、印刷データ生成手段２０２は、印刷する商品情報がカード情報に設定されたカード組み合わせ条件を満たさないことを検出した場合には、手順Ｓ１０６５に進む。
そして、印刷データ生成手段２０２は、変数ｎがｎ１以上か否かを検出し（手順Ｓ１０６５）、変数ｎがｎ１以上であれば処理を終了し、変数ｎがｎ１未満であれば、ｎ＝ｎ＋１として(手順Ｓ１０６６)、手順Ｓ１０６２に戻り、上記手順Ｓ１０６２から手順Ｓ１０６５を、印刷のために選択された商品情報の数だけくり返す。
【００７５】
なお、上記の実施形態においては、印刷データ生成手段２０２は、組合せカード条件を満たすことを検出した場合にカードを組合せて印刷データの生成を行うが、組合せカード変更条件が設定されていることで、直ちにカードを組合せて印刷データの生成を行うようにしてもよい。
また、カードの組合せ条件として、特別ポイントの値を設定するなどして、所定の値以上の場合にだけカードを組合せて印刷データの生成するようにしてもよく、ポイント数に応じて組合せるカードを異ならせて印刷データを生成するなどしてもよい。
以上、本実施形態の印刷データ出力装置２における組合せカードに関する印刷データの生成処理の一例の説明を行った。
【００７６】
図１０は、本実施形態の印刷データ出力装置２における代替用紙設定処理（手順Ｓ１０７）の流れを示すフローチャートの一例である。
代替用紙設定とは、用紙選択手段２０３等によって選択された用紙が不足するなどして給紙不能である場合に、選択された用紙に代替できる代替用紙が存在するか否かを検出して、代替用紙が給紙可能であれば、印刷に用いる用紙を代替用紙に切り替えて選択して印刷処理を行うことである。
【００７７】
まず、用紙選択手段２０３は、用紙情報ファイルに記憶された情報に基づいて、手順Ｓ１０４で、選択された用紙が、給紙可能であるか否か、すなわち印刷手段３のいずれかの給紙カセットもしくは手差しトレイに前記選択された用紙が収納され、給紙可能であるか否か(用紙情報ファイルの「残数」欄の値が、０でないか否か等)を検出する（手順Ｓ１０７１）。
【００７８】
用紙選択手段２０３は、選択された用紙が給紙可能であることを検出した場合、すなわち印刷手段３のいずれかの給紙カセットもしくは手差しトレイに前記用紙選択手段によって選択された用紙が正常に収納されている場合には、用紙の代替用紙に切り替えて選択することなく処理を終了する。
【００７９】
一方、用紙選択手段２０３は、前記選択された用紙が給紙可能でないことを検出した場合、すなわち印刷手段３のいずれの給紙カセットもしくは手差しトレイにも前記用紙選択手段によって選択された用紙が正常に収納されていない場合(用紙情報ファイルにおいて、選択された用紙が収納されている給紙カセットの「残数」欄の値が、０である場合等)には、用紙選択手段２０３は、選択された用紙に代替することのできる代替用紙が、給紙可能であるか否かを検出する（手順Ｓ１０７２）。
【００８０】
代替することができる用紙としては、用紙寸法が同じであり、無地の用紙等を設定することができる。例えば、用紙の選択工程Ｓ１０４において、黄色のＡ４の特別な用紙が選択された場合であって、図５の用紙情報ファイルにおいて、「用紙名」欄がＡ４黄色の用紙を収納したカセットの「残数」欄の値が０であることが検出されたときには、Ａ４白色の用紙が収納されているカセット１の「残数」欄の値を検出し、該「残数」欄の値が０でない場合に、Ａ４白色の用紙を代替用紙とし、給紙可能であることを検出する。
【００８１】
用紙選択手段２０３が、行程Ｓ１７０２で、代替用紙が給紙可能でないことを検出した場合には、印刷データ出力手段２０１は、用紙がない旨のエラー表示を行って印刷を中止する（手順Ｓ１０７６）。なお、印刷手段３に対しては、必要に応じてエラー解除フラグを送信するなどして、印刷手段３の次の印刷の妨げにならないように制御することが好ましい。
【００８２】
一方、用紙選択手段２０３は、代替用紙が給紙可能であることを検出した場合には、商品情報を印刷する用紙を代替用紙に切り替えて選択する（手順Ｓ１７０３）。
次に、印刷データ生成手段２０２は、先に選択されていた用紙に事前印刷情報があるか否かを検出する（手順Ｓ１７０４）。事前印刷情報とは、用紙にあらかじめ印刷されている情報をいい、例えば、黄色のＡ４の用紙であれば、黄色の背景色情報であり、製造者のロゴ等が記入された事前印字用紙であれば、ロゴ等のイラスト情報等の印字情報ある。なお、事前印刷情報は、用紙情報ファイル等に記憶しておくことができる。
【００８３】
印刷データ生成手段２０２は、先に選択されていた用紙に事前印刷情報があることを検出した場合には、印刷データの元となる情報（商品情報）に事前印刷情報を含めて印刷データを生成する。例えば、代替用紙を使用して印刷する場合であって、先に選択されていた用紙が黄色の用紙であった時には、印刷する商品情報に加えて背景を黄色に着色する事前印刷情報を印刷情報として含めて印刷データを生成する（手順Ｓ１０７５）。
【００８４】
なお、追加する事前印刷情報は、必ずしも事前印刷用紙に事前印刷等されていたものでなくてもよく、例えば図１１（ａ）に見られるような両端に黄色もしくは他の類似色に着色された帯ａ，ａのマーク印刷や、片隅に黄色もしくは他の類似色に着色された円ｂのマーク印刷等、顧客に対して目につくような印刷情報であればよい。その他、片端に黄色に着された帯のマーク印刷や、文字情報のあるマークや、又は所定の形のあるマーク等であってもよい。
【００８５】
また、事前印刷情報等は、例えばカード情報等に記憶することもでき、また、事前印刷情報を記憶する記憶手段を別途設けることもできる。
一方、先に選択されていた用紙に事前印刷情報がないことを検出した場合には、処理を終了する。
以上、本実施形態の印刷データ出力装置２における代替用紙の設定処理を伴う印刷データの生成の一例について説明を行った。
【００８６】
以上のように、本実施形態の印刷システムの印刷データ出力装置２は、商品情報に応じて用紙を自動的に切り替えることができる。
なお、本実施形態においては、用紙情報を印刷手段３の複数の給紙カセットや手差しトレイに関連付けて、用紙の情報を検出して使用する用紙を切替えているが、例えば印刷データ出力装置２に用紙の種類を検出するセンサー等を設けて、用紙検出手段によって用紙の表面の情報等を検出して、用紙の種類や残量等を検出してもよい。
【００８７】
さらに、印刷手段３にＩＰアドレスなどを設定することで、複数のプリンタを対象にして用紙の管理をしてもよく、給紙カセットをユニーク管理することができる場合には、出力装置３のＩＰアドレスなどを設定することなく、給紙トレイを管理することで、用紙の切替をすることができる。
また、ＰＯＰ広告等の発行予定が決定している場合等には、必要な特別な用紙をシミュレーションによって算出することもでき、必要な特別な用紙を把握することができる。そのような場合には、特別な用紙を印刷に必要な枚数分を予め給紙トレイに収納しておき、各給紙トレイに収納した特別な用紙の枚数の情報等を印刷データ出力装置２の記憶手段に記憶することによって、記憶された枚数が印刷されたことを検出することで、選択された用紙が給紙不可能であることを検出することもできる。
その際には、予め給紙カセットに収納する特別な用紙の枚数を設定する入力手段を設けて、該特別な用紙の枚数を管理してもよい。
【００８８】
さらに、本実施形態の印刷システムの印刷データ出力装置２は、印刷の指示がなされた商品情報に、出力するフォーマットを変える必要のある商品情報、例えば軽減税率対象の商品情報が含まれていた場合には、自動的にカード（印刷フォーマット等）を変更、例えば複数税率が表示可能なカードに変更するなど、表示形態を変更して商品情報出力データを出力することができる。
これによって、例えば複数税率が設定されている商品に対しては、複数の税率が表示された棚札等を準備することができ、顧客に対して顧客が購入する時の税率を容易に理解させることができる。
【００８９】
さらに、本実施形態の印刷システムの印刷データ出力装置２は、印刷の指示がなされた商品情報に、特別なＰＯＰ等を組み合わせて印刷する商品情報が含まれていた場合には、特別なＰＯＰ等を商品情報との関連性が分かるように組み合わせて印刷データを出力する。
これによって、特別なＰＯＰによって広告する商品情報のＰＯＰを簡単に理解することができ、特別なＰＯＰの取り扱い、配置等がやりやすくなる。
【００９０】
また、本実施形態の印刷システムの印刷データ出力装置２は、商品情報の印刷に用いる用紙が不足等給紙不能である場合には、代替可能な代替用紙が有るか否かを検出して、代替用紙があれば、代替用紙を印刷に用いる用紙として切り替えて選択する。
そして、前記給紙不能である用紙が、事前に印刷がなされた用紙など特別な表面情報を有する用紙であった場合には、印刷データ生成手段２０２は、印刷データに特別な用紙に事前に印刷されていた事前印刷情報もしくはそれに準ずる情報を含ませて印刷データを生成する。
それにより、ユーザーは、事前印刷用紙によって印刷してのと同等の印刷をお行うことができＰＯＰ等の印刷を続けることができ作業効率の低下を防ぐことができる。
【００９１】
（表示画面の説明）
本実施形態の印刷データ出力装置２において、ユーザーは、表示手段２３に表示される操作画面を操作することで、印刷の指示、商品情報ファイルの商品情報の追加、修正当、及び、カード情報ファイルのカード情報の追加、修正等を行う。
以下に、本実施形態の印刷データ出力装置２において、表示手段２３に表示される表示画面について説明する。
【００９２】
（一覧入力画面）
印刷データ出力装置２の印刷データ出力手段２０１は、表示手段２３に、印刷する商品情報の選択、商品情報の追加、修正、及び印刷の指示をするための一覧入力画面５を表示する。
一覧入力画面５は、ユーザーが、本実施形態のプログラムのメニュー画面に表示される「一覧入力」ボタンなどを操作することなどにより、表示手段２３に表示される。
【００９３】
図１２に、一覧入力画面５の一例を示す。一覧入力画面５は、「表示項目」欄５１、「問合せ選択」欄５２、「一覧表示」欄５３、「カードプレビュー」欄５４を有する。なお、ユーザーが「カードプレビュー」欄５４を非表示に設定することで、「一覧表示」欄５３の全面に商品情報ファイルの一覧データを表示することもできる。
【００９４】
「一覧表示」欄５３は、選択された商品の商品情報を一覧で表示する。表示する商品情報の項目は、「表示項目」欄５１によって設定することができる。例えば、ユーザーが「表示項目」欄５１において任意のテンプレートを選択することで、「一覧表示」欄５３は、選択されたテンプレートによって、商品情報ファイルの任意の項目を表示する。図１２に示す例では、「表示項目」欄５１に「ＪＡＮ・カード」テンプレートが設定され、該テンプレートによって「一覧表示」欄５３には、左から「選択」列、「ＪＡＮコード」列、「商品名」列、「印刷指示１」列、「カード１」列、「（印刷）枚数１」列、「印刷指示２」列、「カード２」列、「(印刷)枚数２」列、「特売開始日」列、及び「特売終了日」列等が表示されている。なお、ユーザーは、下方に配置されたスクロールバー５３１を操作することで、右に隠れた情報を表示することができる。
【００９５】
「カードプレビュー」欄５４は、「一覧表示」欄５３の「選択」列によって選択された商品の商品情報の出力（印刷）状態を表示する。「カードプレビュー」欄５４は、「プレビュー」欄５４１、「前の商品」ボタン５４２、「後の商品」ボタン５４３、「詳細情報」欄５４４を有する。
【００９６】
「プレビュー」欄５４１は、商品情報を印刷した状態のカードを表示し、「詳細情報」欄５４４は、「プレビュー」欄５４１に表示したカードの商品情報を表示する。
ユーザーは、「プレビュー」欄５４１によって、商品情報の印刷状態を確認することができ、「前の商品」ボタン５４２及び「後の商品」ボタン５４３を操作することで、「プレビュー」欄５４１に表示される商品情報を変更することができる。
【００９７】
一覧入力画面５は、上方位置に「メニュー」ボタン５０１、「一覧入力」ボタン５０２、「カード入力」ボタン５０３を有する。ユーザーが「メニュー」ボタン５０１を操作すると、印刷データ出力手段２０１は、表示手段２３に、メニュー画面を表示する。同様に、「カード入力」ボタン５０３を操作すると、表示手段２３に、後述するカード入力画面６を表示する。
【００９８】
また、一覧入力画面５は、画面の下方位置に、「新規」ボタン５５６、「商品削除」ボタン５５７、「プレビュー」ボタン５５８、「印刷」ボタン５５９を有する。  
ユーザーが「新規」ボタン５５６を操作すると、印刷データ出力手段２０１は、「一覧表示」欄５３に、データを一行追加する。また、ユーザーが「一覧表示」欄５３の商品情報を選択して「商品削除」ボタン５５７を操作すると、印刷データ出力手段２０１は、選択された商品情報の表示を削除する。ユーザーが「一覧表示」欄５３の商品情報を選択して「プレビュー」ボタン５５８を操作すると、印刷データ出力手段２０１は、表示手段２３に、選択された商品情報の印刷状態の印刷プレビュー画面７を表示する。なお、印刷プレビュー画面７については、後述する。
【００９９】
図１２に示す例では、「一覧表示」欄５３の第１行から第１０行までの商品の商品情報の左端の「選択」の列にチェックが入っており、１０品の商品の商品情報が印刷対象として選択されている。前記選択された商品情報は、「プレビュー」欄５４１に選択的に表示されており、「前の商品」ボタン５４２及び「後の商品」ボタン５４３を操作することで表示する商品情報が変更される。
【０１００】
前記選択された商品情報の「カード１」欄に、「カードＡ」が設定され、「印刷指示１」欄にカード１による印刷が設定されている。なお、印刷するカードの枚数は、１枚である。
また、「一覧表示」欄５３の２行及び４行の商品情報は、「カード２」欄に「広告Ｂ」が設定され、「印刷指示２」欄にカード２による印刷が設定されている。印刷するカード２の枚数は、１枚である。
【０１０１】
したがって、図１２に示す状態で、ユーザーが、「印刷」ボタン５５９を操作すると、印刷データ生成手段２０２は、前記第１行から第１０行の商品について、商品情報及びカードＡのカード情報に基づいて印刷データを生成し、また、前記２行と４行の商品について、商品情報と広告Ｂのカード情報に基づいて印刷データを生成する。そして、印刷データ出力手段２０１は、印刷データ生成手段２０２が生成した印刷データを印刷手段３に出力(送信)する。印刷データを受信した印刷手段３は、印刷データに基づいて棚札及び広告等を印刷する。
【０１０２】
（カード選択ウインドウ）
印刷データ出力手段２０１は、ユーザーが、一覧入力画面５の「カード１」列５３ａ、「カード２」列５３ｂをクリックすると、カード選択ウインドウ５６を表示する。ユーザーは、カード選択ウインドウ５６で、商品情報を印刷するための印刷フォーマット（カード情報）を設定することができる。
【０１０３】
図１３（ａ）に、カード選択ウインドウ５６の一例を示す。カード選択ウインドウ５６は、「カード名称絞込み」欄５６１、「カード属性リスト」欄５６２、「カード選択」欄５６３を有する。印刷データ出力手段２０１は、「カード選択」欄５６３に、選択可能なカードを一覧で表示する。ユーザーが、印刷に使用するカードを選択（反転）して「決定」ボタン５６４を操作すると、印刷データ出力手段２０１は、カード１もしくはカード２として選択されたカードを設定する。
【０１０４】
ユーザーは、カード選択ウインドウ５６の「カード名称絞込み」欄５６１及び「カード属性リスト」欄５６２によって、カードを選択する際にカードの絞り込みができる。具体的には、使用を希望するカードの名称の一部を「カード名称絞込み」欄５６１に入力して「絞込み」ボタン５６１ａを操作する。もしくは、「カード属性リスト」欄５６２に表示されたカード属性のなかから求めるカード属性を選択（反転）する。これらの操作により、印刷データ出力手段２０１は、「カード名称絞込み」欄５６１に入力された一部を含む名称のカード、もしくは「カード属性リスト」欄５６２で選択されたカード属性が定義されたカードを「カード選択」欄５６３に表示させる。
【０１０５】
図１３（ｂ）に、「カード属性」欄５６２によって、カード属性が絞り込まれた状態のカード選択ウインドウ５６を示す。ユーザーが、「カード属性」欄５６２で「通常棚札」と「Ａ４」を選択（反転）することにより、印刷データ出力手段２０１は、「カード選択」欄５６３に、「通常棚札」及び「Ａ４」の属性が定義されたカード（カードＡ、カードＢ）のみを表示する。
このように、本実施形態の印刷データ出力装置２においては、印刷情報を印刷するカード(印刷フォーマット)情報を設定する際に、カード情報を絞り込むことができるので、使用者のカードの選択を容易にしている。
【０１０６】
(カード入力画面)
印刷データ出力手段２０１は、ユーザーが、メニュー画面もしくは一覧入力画面５に表示される「カード入力」ボタン５０３を操作すると、表示手段２３にカード入力画面６を表示する。
図１４に、カード入力画面６の一例を示す。カード入力画面６は、「カードプレビュー」欄６１、「商品情報」欄６２、「カード選択」欄６３を有する。カード入力画面６の上方位置には、「メニュー」ボタン６０１、「一覧入力」ボタン６０２、「カード入力」ボタン６０３、「カード設定」ボタン６０４を有する。ユーザーが「メニュー」ボタン６０１を操作すると、印刷データ出力手段２０１は、表示手段２３に、メニュー画面を表示する。同様に、「一覧入力」ボタン６０２を操作すると、表示手段２３に、一覧入力画面５を表示する。同様に、「カード設定」ボタン６０４を操作すると、表示手段２３に、後述するカード設定画面９を表示する。
【０１０７】
「商品情報」欄６２は、本部サーバ１の商品マスターデータベース等から取得した商品情報等を表示する。ユーザーが、「カード選択」欄６３の「カード１」欄６３ａをクリックすると、印刷データ出力手段２０１は、図１３（ａ）に示すカード選択ウインドウ５６を表示する。ユーザーは、該商品に対して使用するカードを設定することができる。
また、ユーザーが「カードプレビュー」欄６１の印刷項目６１ａをクリックすると、印刷データ出力手段２０１は、「商品情報」欄６２の対応する箇所６２ａを編集可能状態とする。ユーザーは、編集可能状態となった箇所のデータを変更することができる。
【０１０８】
（印刷プレビュー画面）
印刷データ出力手段２０１は、ユーザーが、一覧入力画面５において、「選択」列によって商品情報を選択して、「プレビュー」ボタン５５８を操作すると、選択した商品について、印刷データ生成手段２０２が生成した印刷データを印刷プレビュー画面７に表示する。
図１５に、印刷プレビュー画面７の一例を示す。印刷プレビュー画面７は、「印刷プレビュー」欄７１を有する。印刷データ出力手段２０１は、印刷プレビュー画面７に、表示された印刷データを修正する「修正」ボタン７２１を表示する。  
印刷プレビュー画面７は、上方位置に、「メニュー」ボタン７０１、「一覧入力」ボタン７０２、「カード入力」ボタン７０３、「カード設定」ボタン７０４を有する。
【０１０９】
図１５に示す印刷プレビュー画面７の「印刷プレビュー」欄７１には、図１２に示す一覧入力画面５において選択された１０の商品情報について、「カードＡ」の印刷フォーマットを用いてＡ４の用紙に印刷するための印刷データの状態を表示している。「印刷プレビュー」欄７１の適宜箇所には、用紙の搬送方向を示す矢印７１１が表示される。
印刷データ出力手段２０１は、ユーザーが、「印刷プレビュー」欄７１に表示されたカード（図中、点線７１ａで示す。）の印刷形態を変更するなどのために、該カードを選択して「修正」ボタン７２１を操作すると、カード修正画面８を表示する。
【０１１０】
（カード修正画面）
図１６に、カード修正画面８の一例を示す。カード修正画面８は、「カードプレビュー」欄８１、「商品情報」欄８２を有する。
「カードプレビュー」欄８１は、印刷等に用いる印刷データの出力状態をカードの形で表示する。「商品情報」欄８２は、「カードプレビュー」欄８１に表示される商品情報の項目の一覧を表示する。「商品情報」欄８２の上方位置には、「修正」ボタン８２１、「戻る」ボタン８２２を有する。
カード修正画面８は、上方位置に、「メニュー」ボタン８０１、「一覧入力」ボタン８０２、「カード入力」ボタン８０３、「カード設定」ボタン８０４を有する。
【０１１１】
ユーザーが、「商品情報」欄８２の項目のデータを変更すると、印刷データ生成手段２０２は、ユーザーが変更した商品情報を、「カードプレビュー」欄８１に表示される印刷データに反映する。ユーザーは、「カードプレビュー」欄８１を見ることで変更状態を確認することができる。図１６に示す例では、ユーザーが、「商品情報」欄８２の現在売価のデータ８２ａを、９５円に変更したので、印刷データ生成手段２０２は印刷データを修正し、「カードプレビュー」欄８１の現在売価の項目８１ａの表示を「９５円」に変更している。
そして、ユーザーが、「戻る」ボタン８２２を操作すると、印刷データ出力手段２０１は、変更した内容を商品情報記憶手段２０４に記憶して、前画面である印刷プレビュー画面７を表示する。
【０１１２】
（カード設定画面）
印刷データ出力手段２０１は、ユーザーが、メニュー画面等に表示される「カード設定」ボタンを操作すると、表示手段２３に、カード設定画面９を表示する。ユーザーは、カード設定画面９で、商品情報の印刷に使用するカード（印刷フォーマット）情報の設定、修正をすることができる。
【０１１３】
図１７にカード設定画面９の一例を示す。カード設定画面９は、カードデザイン欄９１、カード情報欄９３を有する。ユーザーは、カードデザイン欄９１にさまざまなオブジェクトを配置することで印刷フォーマットデータを作成し、商品情報ファイルの印刷項目をオブジェクトに定義づけてカード（印刷フォーマット）情報を作成することができる。
カード情報欄９３は、「（カード）名称」欄９３１、「用紙」欄９３２、「用紙切替設定」欄９３３、「カード属性情報」欄９３４、「カード寸法」欄９３５、「使用期限」欄３３６等を有する。
【０１１４】
カード情報欄９３の上方位置には、「情報」ボタン９２１、「組合せ」ボタン９２２、「変更」ボタン９２３を有する。ユーザーが、「組合せ」ボタン９２２を操作すると、印刷データ出力手段２０１は、カード組合せ状態を設定する「カード組合せ」ウインドウ９４を表示する。ユーザーが「変更」ボタン９２３を操作すると、印刷データ出力手段２０１は、カード変更を設定する「カード変更」ウインドウ９５を表示する。
カード設定画面９の上方位置には、メニュー画面に移行するための「メニュー」ボタン９０１、「一覧入力」ボタン９０２、「カード入力」ボタン９０３、「カード設定」ボタン９０４を有する。
【０１１５】
図１７に示すカード設定画面９は、カードデザイン欄９１に作成されたカードに、名称として「カードＡ」、用紙として「Ａ４  白色」、カード属性として「通常棚札」、「Ａ４」が定義され、サイズとして「７４ｍｍ×５２．５ｍｍ」が設定されている。なお、カードのサイズは、最小単位（例えば、３７ｍｍ×２６．２５ｍｍ）を設定し、最小単位の整数倍のサイズを設定することで、用紙に対して無駄なく割り付けることができるようにしているが、任意の寸法を設定するようにしてもよい。
【０１１６】
図１８に、「用紙切替設定」欄９３３が詳細表示されたカード設定画面９の一例を示す。ユーザーが、カード設定画面９の「用紙切替設定」欄９３３のチェックボックス９３３ａにチェックを入れると、印刷データ出力手段２０１は、カード設定画面９に「用紙切替設定」欄９３３を詳細表示する。「用紙切替設定」欄９３３は、「切替用紙」欄９３３ｂ、「切替項目リンク」欄９３３ｃ、「条件設定」欄９３３ｄを有する。「切替項目リンク」欄９３３ｃは、用紙を切り替える条件の対象となる商品情報の項目を示し、「条件設定」欄９３３ｄは、用紙を切り替える条件を設定する欄である。
【０１１７】
ユーザーが、「切替項目リンク」欄９３３ｃ及び「条件設定」欄９３３ｄに切替条件を設定して、「切替用紙」欄９３３ｂに切替後の用紙を設定すると、棚札や広告等の印刷時に、用紙選択手段２０３は、前記設定された切替条件に応じて、印刷に使用する用紙を選択する。
【０１１８】
具体的に説明すると、図１８に示すカード設定画面９は、「カード名称」欄９３１に「広告Ａ」が設定され、「用紙」欄９３２に「Ａ４  白色」が設定されている。そして、チェックボックス９３３ａにチェックがされており、「用紙切替設定」欄９３３が詳細表示されている。「用紙切替設定」欄９３３の「切替用紙」欄９３３ｂに「Ａ４  黄色」が設定され、「商品項目リンク」欄９３３ｃに「特売最終日」が設定され、「条件設定」欄９３３ｄにおいて「特売最終日＝特売開始日」が設定されている。
【０１１９】
上記設定によって、印刷データ出力装置２の用紙選択手段２０３は、商品情報を印刷するカードとして「広告Ａ」が設定された場合であって、印刷する対象の商品情報の「特売最終日」欄と「特売開始日」欄が同一であることが検出されると、すなわち一日限りの特売日であることが検出されると、商品情報の印刷に使用する用紙として「Ａ４  黄色」を選択する。そして、「用紙切替設定」欄９３３にチェックが入っていないことが検出されるか、もしくは、印刷する対象の商品情報の「特売最終日」欄と「特売開始日」欄が同一ではないことが検出されると、商品情報の印刷に使用する用紙として「広告Ａ」のカードによって設定されている「Ａ４  白色」を選択する。
【０１２０】
なお、図１８に示す例では、用紙を切り替える条件の対象となる商品情報の項目として「特売最終日」が設定され、用紙切替の条件として「条件設定」欄９３３ｄには、「特売最終日＝特売開始日」が設定されているが、用紙を切り替える条件は、日付を指定するものに限られるものではない。
例えば、商品の製造会社や商品が属する部門、店舗における企画等に応じて適宜設定することができる。
【０１２１】
図１９に、「用紙切替設定」欄９３３が詳細表示されたカード設定画面９の他の一例を示す。図１９に示すカード設定画面９は、「カード名称」欄９３１に「カードＣ」が設定され、「用紙」欄９３２に「Ａ４  白色」が設定されている。そして、チェックボックス９３３ａにチェックがされており、「用紙切替設定」欄９３３が詳細表示されている。「用紙切替設定」欄９３３の「切替用紙」欄９３３ｂに「Ａ４  事前印刷」が設定され、「切替条件リンク」欄９３３ｃに商品情報の項目である「イラスト１」が設定され、「条件設定」欄９３３ｄに「イラスト１＝セットあり（データ有り）」が設定されている。
【０１２２】
上記設定によって、印刷データ出力装置２の用紙選択手段２０３は、商品情報を印刷するカードとして「カードＣ」が設定された場合であって、印刷する対象の商品情報の「イラスト１」欄に、ロゴマーク等の情報が検出されると、商品情報の印刷に使用する用紙として事前印刷用紙を選択して設定する。事前印刷用紙は、カードデザイン欄９１に示すイラスト位置９１ａに、「イラスト１」に対応するロゴマーク等が事前印刷された用紙である。そして、「用紙切替設定」欄９３３にチェックが入っていないことが検出されるか、もしくは、「イラスト１」欄に、ロゴマーク等の情報がないことが検出されると、用紙を変更することなく「広告Ａ」のカードによって設定されている「Ａ４  白色」を商品情報の印刷に使用する用紙として選択して設定する。
【０１２３】
そして、本実施形態の印刷データ出力装置２においては、図１８、図１９に示すカード設定画面９の用紙切替設定等によって、色付き用紙（Ａ４  黄色）や事前印刷用紙等の特別な用紙を使用して印刷している場合に、該特別な用紙の不足が検出された場合には、代替可能な他の用紙を使用して印刷することができる。
【０１２４】
具体的には、用紙選択手段２０３は、図１８に示すカード設定画面９の用紙切替設定等により、印刷に使用する用紙として色付き用紙（Ａ４  黄色）が設定されている時に、該色付き用紙の不足が検出された場合には、代替可能な他の用紙（例えば寸法が同一であるＡ４の白紙）があるか否かを検出し、代替可能な用紙の存在が検出された場合には、該代替可能な他の用紙を印刷に使用する用紙として選択して設定する。その際、印刷データ生成手段２０２は、通常生成する印刷データに黄色の背景情報を加えて新たに印刷データを生成してもよい。
【０１２５】
また、用紙選択手段２０３は、図１９に示すカード設定画面９の用紙切替設定等により、印刷に使用する用紙として事前印刷用紙（Ａ４  事前印刷）が設定されている時に、該事前印刷用紙の不足が検出された場合には、代替可能な他の用紙（例えば寸法が同一であるＡ４の白紙）があるか否かを検出し、代替可能な用紙の存在が検出された場合には、該代替可能な他の用紙を印刷に使用する用紙として選択して設定する。その際、印刷データ生成手段２０２は、通常生成する印刷データに事前印字情報（ロゴマーク等）を加えて印刷データを生成してもよい。
【０１２６】
図２０に、「カード組合せ」ウインドウ９４が表示されたカード設定画面９の一例を示す。ユーザーが、カード設定画面９において、「組合せ」ボタン９２２を操作し、「カード組合せ」ウインドウ９４の「カード組合せ条件の設定」のチェックボックス９４１にチェックを入れると、印刷データ出力手段２０１は、カード設定画面９に「カード組合せ」ウインドウ９４を表示する。
【０１２７】
「カード組合せ」ウインドウ９４は、「商品項目リンク」欄９４２ａ、「条件設定」欄９４２ｂ、「組合せカード１」欄９４３ａ、「（組合せ）位置」欄９４２ｂを有する。「商品項目リンク」欄９４２ａは、カードを組み合わせる条件の対象となる商品情報の項目を示し、「条件設定」欄９４２ｂは、カードを組み合わせる条件を設定する欄であり、「組合せカード１」欄９４３ａは、組み合わせるカードを設定する欄であり、「（組合せ）位置」欄９４２ｂは、組み合わせるカードの位置を設定する欄である。
【０１２８】
図２０に示すカード設定画面９は、カード１として「カードＡ」が設定されたカード設定画面９において「カード組合せ」ウインドウ９４が表示されたものである。そして、「商品項目リンク」欄９４２ａに「特別ポイント１」が設定され、「条件設定」欄９４２ｂで「値セットあり」が設定され、「組合せカード１」欄９４３ａに「スポッター用」のカードが設定され、「組合せ位置」欄９４３ｂに「左」が設定されている。
【０１２９】
上記設定によって、印刷データ生成手段２０２は、印刷するカードとして「カードＡ」が設定された商品情報の「特別ポイント１」の項目に特別情報（ポイント値）がセットされている商品に対して、すなわちカードを組み合わせる条件を満たす商品に対しては、商品情報及びカードＡのカード（印刷フォーマット）情報に基づく通常生成する印刷データに加えて、特別情報に基づく印刷データを生成する。
【０１３０】
その際、印刷データ生成手段２０２は、前記商品情報及び「カードＡ」の印刷レイアウト（カード情報）に基づいて生成された通常の印刷データと前記特別情報と「スポッター用」のカード情報（レイアウト）に基づいて生成された印刷ータを並べて生成するなどして、商品情報に対して特別情報が関連していることが分かるように印刷データを生成する。
【０１３１】
具体的には、図２０に示すカード設定画面９のカードデザイン欄９１に示すように、印刷データ生成手段２０２は、「カードＡ」のレイアウトによる商品情報の通常の印刷データ(右側)と「スポッター用」のレイアウトによる特別情報の印刷データ(左側)を並べて組み合わせた印刷データを生成する。
【０１３２】
図２１に、前記「カードＡ」のレイアウトによる商品情報の印刷データと「スポッター用」のレイアウトによる特別情報の印刷データを組み合わせて印刷した印刷媒体の例を示す。図２１に示す例は、図１２に示す一覧入力画面５において選択されている１０の商品に対して印刷指示がされた場合の印刷状態を示している。
【０１３３】
前記１０品の商品情報うち、「特別ポイント１」が設定されている２つの商品について、商品情報の「カードＡ」のレイアウトによる通常の印刷データによる印刷Ａ１，Ｂ１と特別情報の「スポッター用」による印刷データによる印刷Ａ２，Ｂ２が隣接しており、両者が関連していることが分かるように印刷されている。
【０１３４】
具体的には、第１行の缶コーヒー及び第３行のお茶の「カードＡ」のレイアウトによる印刷Ａ１に対して、１００ポイントが付与されることを示す特別情報の「スポッター用」のレイアウトによる印刷Ａ２が左側に隣接して印刷されている。ユーザーは、第１行の缶コーヒー及び第３行のお茶の印刷が「スポッター用」による印刷と関連性を有することを容易に把握できる。
【０１３５】
なお、上記の実施形態においては、組合せカードの「組合せ位置」欄９４３ｂが左側に設定されているが、組合せるカードは一つに限られるものではない。また、商品情報と特別情報とを関連させるため位置関係は、左右に限るものではない。さらに、「カード組合せ条件の設定」欄５４の「組合せカード２」欄９４４ａ及び「位置」欄９４４ｂ等によって設定することにより、２つ以上のカードを組み合わせることもできる。
【０１３６】
また、組合せカードとしても、ＰＯＰカードのような顧客に見せるためのカードに限られるものではなく、例えば、商品の仕入れ時期や仕入れ量を記載した従業員が利用するカードを組合せカードとして設定してもよい。
【０１３７】
また、通常の商品情報を示す本体カードと組合せカードとの関連性がわかるように印刷する手法としては、隣接して印刷するほか、本体カードと組み合わせカードとを特定の枠によって囲むように印刷しても良い。また、本体カードもしくは組合せカードの一部に関連することがわかる印等を印刷しても良い。また、組合せカードの裏面に本体カードの一部等を印刷して、本体カードと組合せカードとの関連性がわかるようにしても良い。
【０１３８】
さらに、印刷データ出力手段２０１は、組合せカードの印刷をする際には、カードを組合せて印刷する商品情報を最初に印刷するなど商品情報を出力する順番を制御して、用紙の無駄を少なくするようにすることが好ましい。
また、印刷データ出力手段２０１は、例えば飲料品に関する商品情報を示すカードと、食品に関する商品情報を示すカードが混在しないように、商品の種類に応じて順番に出力することもでき、図２１における印刷状態の例では、組合せカードを有する商品情報について先に出力し、その後に、飲料品に関する商品情報、食料品に関する商品情報の順番に出力している。
【０１３９】
このように、本実施形態においては、印刷データ出力手段２０１は、組合せカードの商品情報出力データを、通常の商品情報のカードの商品情報出力データに対して関連性が分かるように出力して印刷するので、ユーザーは、両カードとの関連を直感的に理解することができ、売り場等に組合せカードを配置する際に、適切に配置することができる。
【０１４０】
図２２に、「カード変更」ウインドウ９５が表示されたカード設定画面９の一例を示す。ユーザーが、カード設定画面９において、「変更」ボタン９２３を操作し、「カード変更」ウインドウ９５の「カード変更条件の設定」のチェックボックス９５１にチェックを入れると、印刷データ出力手段２０１は、「カード変更」ウインドウ９５を表示する。
【０１４１】
「カード変更」ウインドウ９５は、「商品項目リンク」欄９５２ａ、「条件設定」欄９５２ｂ、「変更カード」欄９５３を有する。「商品項目リンク」欄９５２ａは、カードを変更する条件の対象となる商品情報の項目を示し、「条件設定」欄９５２ｂは、カードを変更する条件を設定する欄であり、「変更カード」欄９５３は、変更後のカードを設定する欄である。
【０１４２】
図２２に示すカード設定画面９は、印刷レイアウトとして「カードＡ」が設定されたカード設定画面９において、「カード変更」ウインドウ９５が表示された状態を示す。「商品項目リンク」欄９５２ａに「軽減税率対象」項目が設定され、「変更設定」欄９５２ｂに「値セットあり」が設定され、「変更カード」欄９５３に「カードＤ」のカードが設定されている。
【０１４３】
上記設定によって、印刷データ出力手段２０１は、印刷レイアウトとして「カードＡ」が設定された場合には、印刷する対象の商品情報の「軽減税率対象」の項目に値がセット（チェック）されているか否かを検出し、印刷する商品情報の「軽減税率対象」の項目に値がセット（チェック）されているときには、すなわち印刷する商品に対して購買条件によって複数の税率が設定されている軽減税率対象商品である場合には、前記商品情報を印刷に使用するフォーマットを「カードＡ」から「カードＤ」に変更して、前記商品情報と前記「カードＤ」のカード情報（フォーマット）に基づいて印刷データを生成する。
【０１４４】
なお、図２２に示すカード設定画面９のカードデザイン欄９１は、軽減税率対象商品について、商品情報と「カードＤ」のカード情報に基づいて生成した印刷データによる印刷状態を表示している。
カードデザイン欄９１に示すように、当該商品には、イートイン（購入した商品を店内で飲食する場合）とイートアウト(購入した商品を持ち帰る場合)の２つの購買条件についての税率が設定されていることが表示されている。
【０１４５】
図２３に、印刷対象商品に軽減税率対象商品が含まれる場合の印刷媒体の例を示す。図２３に示す例は、図１２に示す一覧入力画面において選択されている１０品の商品情報に対して印刷指示がされた場合の印刷状態である。印刷データ生成手段２０２は、前記１０品の商品情報うち「軽減税率対象」に値がセットされていない８品の商品（第１の商品）については、通常の「カードＡ」のカード情報（レイアウト）に基づいて印刷データを生成する。そして、「軽減税率対象」の２つの商品（第２の商品）については、通常の「カードＡ」のカード情報（レイアウト）に代えて軽減税率に対応した「カードＤ」のカード情報（レイアウト）に基づいて印刷データが生成されている。
【０１４６】
具体的には、商品情報ファイルの第５行の「ロールパン」及び第８行の「カレーパン」については、軽減税率に対応した「カードＤ」のカード情報（レイアウト）に基づいて印刷データが生成されている。なお、上記の実施例においては、商品が軽減税率対象商品（第２の商品）であった場合には、自動的にひとつのカード情報（カードＤ）が設定されているが、この例に限定されるものではない。例えば、印刷データ出力手段２０１は、対応可能な複数のカード（レイアウト）の候補を表示手段２３に表示してもよい。ユーザーは、表示手段２３に表示された候補のなかから選択することができる。
【０１４７】
また、本実施形態の印刷データ出力装置２においては、ユーザーは、カード入力画面６において、商品情報に設定する「カード１」として、複数税率に対応したカードをユーザーが直接選択することによって、印刷データ生成手段２０２は、複数税率に対応した印刷データの生成をするようにしてもよい。
【０１４８】
図２４に、複数税率に対応したカード（レイアウト）を選択している状態のカード入力画面６を示す。カード入力画面６において、ユーザーが「カード選択」欄６３の「カード１」欄６３ａをクリック等すると、印刷データ出力手段２０１は、図１３（ｂ）に示すカード選択ウインドウ５６を表示する。ユーザーは、前記カード選択ウインドウ５６の「カード属性リスト」欄５６２に表示されたカード属性の中から「複数税率」属性を反転させて絞り込むと、印刷データ出力手段２０１は、「カード選択」欄５６３に、複数税率の属性を定義されたカードのみを表示する。ユーザーは、「カード選択」欄５６３に表示されたカードから任意のカードを選択すれば良い。
【０１４９】
具体的には、図２４に示すカード入力画面６においては、ユーザーが、「カード１」欄６３ａに、軽減税率のカード属性が定義された「カードＤ」を設定することで、印刷データ生成手段２０２は、カードＤに基づく印刷データを生成し、印刷データ出力手段２０１は、「カードプレビュー」欄６１に、印刷データ生成手段２０２が生成したイートインのときの販売価格(１５０円)とテイクアウトのときの販売価格（１４７円）が併記されたレイアウトの印刷データを表示する。
このように、複数の税率が設定されている商品に対しては、棚札やＰＯＰ等に、通常税率と軽減税率とが並べて印刷されているので、購入する顧客は、各人の状況にあった商品の価格を容易に認識することができる。
【０１５０】
また、複数税率の印刷は、上記組み合わせカードを用いることによっても発揮することができる。例えば、カード組合せ条件の設定において、商品項目リンクとして、「軽減税率対象」項目を設定し、組み合わせ条件として該項目にチェックされていることを設定することで、上記組合せ条件を満たす商品情報については、通常税率のカードに組み合わせて軽減税率のカードを並べて印刷するようにすることができる。
【０１５１】
また、軽減税率の対象となる商品であっても、店舗によっては、通常税率での販売しかされない、もしくは、軽減税率での販売しかされない場合がある。そのような場合には、図１３に示すカード選択ウインドウ５６において、カード属性として「軽減税率のみ」等の属性により絞り込むことにより、軽減税率のみを印刷するカードに絞り込み、絞り込まれたカードの中から選択することで、軽減税率のみが印刷されるカード（レイアウト）によって印刷することができる。
また、複数税率の表示を、店舗情報等の所定の条件にリンクさせるなどして、所定の条件を満たす場合には、通常税率のみ、もしくは軽減税率のみを印刷するカードを自動的に設定するように制御することもできる。
【０１５２】
なお、第１の商品と第２の商品の印刷形態を異ならせる手段としては、上記の実施例に限られるものではなく、例えば税率ごとに字体、文字色、背景、大きさ等のうちの少なくとも何れかを異ならせてもよい。
以上のように、本実施形態の印刷データ出力装置においては、購買条件によって複数の税率が設定されている商品については、自動的に複数の税率の対象商品であることが分かるような通常の印刷態様とは異なる印刷態様によって印刷するので、購買者に対して、購買時の税率を容易に理解させることができる。
【符号の説明】
【０１５３】
１          ：本部サーバ
２          ：印刷データ出力装置
３          ：印刷手段
２１        ：コントローラ
２０１      ：印刷データ出力手段
２０２      ：印刷データ生成手段
２０３      ：用紙選択手段
２０４      ：商品情報記憶手段
２０５      ：カード情報記憶手段
２０６      ：用紙情報記憶手段
２０７      ：通信部
２２        ：入力手段
２３        ：表示手段
３１        ：コントローラ
３２        ：プリンタエンジン
３０１      ：印刷制御手段
３０２      ：エンジン制御手段
３０３      ：用紙検出手段
【図１】
2019067313.tif 000003
【図２】
2019067313.tif 000004
【図３】
2019067313.tif 000005
【図４】
2019067313.tif 000006
【図５】
2019067313.tif 000007
【図６】
2019067313.tif 000008
【図７】
2019067313.tif 000009
【図８】
2019067313.tif 000010
【図９】
2019067313.tif 000011
【図１０】
2019067313.tif 000012
【図１１】
2019067313.tif 000013
【図１２】
2019067313.tif 000014
【図１３】
2019067313.tif 000015
【図１４】
2019067313.tif 000016
【図１５】
2019067313.tif 000017
【図１６】
2019067313.tif 000018
【図１７】
2019067313.tif 000019
【図１８】
2019067313.tif 000020
【図１９】
2019067313.tif 000021
【図２０】
2019067313.tif 000022
【図２１】
2019067313.tif 000023
【図２２】
2019067313.tif 000024
【図２３】
2019067313.tif 000025
【図２４】
2019067313.tif 000026